(57)【要約】【課題】  グランドピアノにおけるアクションアッセンブリーの収納されている空間部における湿度を簡単な構成により改善することによって鍵盤の動きが悪くなるキースティック現象、あるいは、ハンマーの動きが悪くなるハンマースティック現象を防止することが可能なグランドピアノを提供することであり、また、特に既存のグランドピアノに対して適用が可能な構成を提供することにある。【解決手段】  本発明にかかる構成は、グランドピアノにおけるアクションアッセンブリーのシャンクレールに掛止具を設置し、前記掛止具に吸湿剤を着脱自在に装架せしめたもので、また本発明にかかる構成は、粒状、粉状の吸湿剤を帯状の通気性材料に内包または担持させ、かつ、ピアノのアクションアッセンブリーに直接または間接的に設置する掛止具に係合する紐あるいは掛止穴を形成した点に存する。【選択図】図２
2009031704.tif 000002
【特許請求の範囲】
【請求項１】
グランドピアノにおけるアクションアッセンブリーのシャンクフレームまたはシャンクレールに掛止具を設置し、前記掛止具に吸湿体を着脱自在に装架せしめたことを特徴とするグランドピアノ。
【請求項２】
請求項１記載のグランドピアノにおいて、前記掛止具がアクションアッセンブリーのシャンクレールを挟持するフックであることを特徴とするグランドピアノ。
【請求項３】
請求項１記載のグランドピアノにおいて、前記掛止具がアクションアッセンブリー内のナットに取り付ける丸型およびＵ字型のワッシャー部をもつフックであることを特徴とするグランドピアノ。
【請求項４】
粒状、粉状の吸湿剤を帯状の通気性材料に内包または担持させ、かつ、ピアノのアクションアッセンブリーまたはシャンクフレームに直接または間接的に設置する掛止具に係合する紐あるいは掛止穴を形成したことを特徴とする吸湿体。
【請求項５】
請求項４記載の吸湿体において、吸湿剤を内包または担持する通気性材料が、前記吸湿剤が適宜の大きさとなるように分包された帯状の構造を有することを特徴とする吸湿体。
【請求項６】
請求項４、５記載の吸湿体において、吸湿体が吸湿量によって変色する変色材料からなることを特徴とする吸湿体。
【請求項７】
請求項４、５、６記載の吸湿体において、吸湿体が再吸湿可能な吸湿剤であることを特徴とする吸湿体。
【請求項８】
請求項４、５、６、７記載の吸湿体において、吸湿体に、防虫剤、防錆剤、防カビ剤、消臭剤の１種あるいは２種以上を付加したことを特徴とする吸湿体。
【請求項９】
吸湿体が吸湿剤を含浸させたシート状であり、かつ、ピアノのアクションアッセンブリーまたはシャンクフレームに直接または間接的に設置するために掛止具に係合する紐あるいは掛止穴を形成したことを特徴とする吸湿体。
【請求項１０】
請求項９記載の吸湿体において、吸湿体が吸湿量によって変色する変色材料からなることを特徴とする吸湿体。
【請求項１１】
請求項９、１０記載の吸湿体において、吸湿体が再吸湿可能な吸湿剤であることを特徴とする吸湿体。
【請求項１２】
請求項９，１０，１１記載の吸湿体において、吸湿体に、防虫剤、防錆剤、防カビ剤、消臭剤の１種あるいは２種以上を付加したことを特徴とする吸湿体。
【発明の詳細な説明】
【技術分野】
【０００１】  本発明はピアノに関し、詳しくはグランドピアノにおけるフックはアクションアッセンブリーの改良、およびそれに使用する吸湿体に関するものである。
【背景技術】
【０００２】  一般的に、グランドピアノは、構造的な大きさから、一般家庭よりも学校の講堂、公共施設のホール、演奏用ホール等に設置され、また、そのピアノの使用頻度は設置された施設（ホール）における目的によっても異なるが、長期に使用（演奏）されることなく放置されているケースが間々見受けられるところである。【０００３】  グランドピアノにおけるアクションアッセンブリーは、鍵盤の打鍵運動を打鍵ハンマーに伝達させるために、レバー、リンク機構等の複雑な部材が鍵盤蓋機構やピン板などに囲まれた空間に数多くの部材が集約するため、非演奏時には特に空気がよどみやすくなる。【０００４】  また、このアクションアッセンブリーは、鍵盤の作動の伝達時に伴う異音の発生を回避するために、機構を形成する重要部分にクッション部材としてフェルト、クロス類など数多くに使用されている。これらのフェルト、クロス類は湿度変化に影響を受けやすい部材であって、また、前述するように、アクションアッセンブリーが収蔵される空間は、非演奏時において空気が滞留するために、該空間の湿度の影響を受けやすく、これらクッション部材が過度に吸湿すると、吸湿による膨張を生起し、鍵盤やハンマーの動きが悪くなるキースティック現象、およびハンマースティック現象と言われるハンマー動作および鍵盤動作の不良などを引き起こす原因となる。【０００５】  従来にあっては、このハンマー動作および鍵盤動作の不良を回避するために採用される手段として、積極的に空間内における湿度を制御するために、アクションアッセンブリーが設置される空間内に電気ヒーターを設置し、当該空間内の湿度を検知し、湿度が上昇すると、ヒーターに通電し、ヒーターの発熱によって空間の温度を上昇させ、当該部分における湿度を低下させ、乾燥雰囲気とすることにより、ハンマーおよびアクションの動作不良を防止することが提案されている。【０００６】  しかしながら、電気ヒーターの発熱により空間温度を上昇させる手段にあっては、部分的な温度変化による木質部分の局所的な変質や変形の恐れがあり、演奏時の音質に影響を与えることが懸念されるのみならず、２４時間稼動させる電気代が嵩むこととなり、さらには、電気線を引き込む場所の確保や火災の危険性など抱える問題点が多く存在する。【０００７】  また、前述する問題を解決するために従来から行われる手法として、吸湿剤をグランドピアノに要所、要所に設置することが行われているが、この場合にあっては、吸湿剤をグランドピアノの大屋根の下への設置となるが、共鳴板およびフレーム上に吸湿剤を置くこととなり、演奏時の共鳴不良の原因となることから、演奏に影響する異物の設置を避けたい場所である。【０００８】  加えて、グランドピアノの大屋根の中は演奏時に限らず、所有者が部屋の温度や湿度などの状況を考えて吸湿を防止し、乾燥状態をもたらすために適宜に開閉する場所であって、従って、この場所は、通風が容易であるため、吸湿剤を設置する効果に乏しいものとなる。【０００９】  さらに、ピアノにおける音質低下の要因の一つとして弦を打弦するハンマーフェルトの吸湿が知られている。ハンマーフェルトが吸湿することによって型くずれ、軟質化等によって音質が著しく低下す��ものと考えられる。かかるハンマーフェルトの吸湿を防止し、音質低下を防止するものとして特開２００２−７３００８号公報が提案されている。即ち、特許文献によれば、ピアノの非演奏時にハンマーフェルトの吸湿を防止するためにハンマーを囲繞するフェルト防湿具であって、各ハンマーフェルトを個々に収納可能な複数の収納空間が複数形成され、収納空間が外部に対し開口する開口の縁に沿って吸湿具が設けられたものである。【００１０】  このハンマーフェルト防湿具を用いて、ピアノの非演奏時にハンマーフェルトを収納空間内に収納した状態でピアノを保管することによって、吸湿具により収納空間内の空気中の水分を吸湿させて、収納空間内に収納されたハンマーフェルトに水分が直接接触することがなくなり、ハンマーフェルトが吸湿を防止し、ピアノの音質を長期に渡り維持することができるものとしている。【００１１】  しかしながら、この特許文献によれば、ハンマーフェルトに対する吸湿防止という観点からすれば、その目的を挙げることが可能となるが、ピアノにおけるアクション機構にあってはハンマーフェルトに限らず、アクション機構部に採用されているフェルト、クロス類が使用されているが、これらの布地が吸湿し、膨張を生起し、鍵盤やハンマーの動きが悪くなるキースティック現象、およびハンマースティック現象をも解決することにはならない。【００１２】  また、特許文献に示されるハンマーフェルト防湿具を用いる場合にあっては、個々のハンマーを収納する空間を設け、該空間に収容することから、言い換えれば、ハンマーを前記空間に収納する必要があることから、装着作業を慎重に行わなければならず、加えて、演奏時に脱着し、非演奏時には装着するという操作を繰り返す必要があり、煩雑なものとなる。
【特許文献１】  特開２００２−７３００８号公報
【発明の開示】
【発明が解決しようとする課題】
【００１３】  本発明は前述の諸点に鑑みなされたものであって、グランドピアノにおけるアクションアッセンブリーの収納されている空間部における湿度を簡単な構成により改善することによって、当該アクションアッセンブリーにおいて使用されているフェルト地、クロス地等のグランドピアノの非演奏時における吸湿による鍵盤の動きが悪くなるキースティック現象、あるいは、ハンマーの動きが悪くなるハンマースティック現象を防止することが可能なグランドピアノを提供することであり、また、特に既存のグランドピアノに対して適用が可能な構成を提供することにある。
【課題を解決するための手段】
【００１４】  前述の課題を解決するための本発明にかかる構成は、グランドピアノにおけるアクションアッセンブリーのシャンクフレームまたはシャンクレールに掛止具を設置し、前記掛止具に吸湿剤を着脱自在に装架せしめた点に存するものである。【００１５】  また、前述の課題を解決するための本発明にかかる構成は、粒状、粉状の吸湿剤を帯状の通気性材料に内包または担持させ、かつ、ピアノのアクションアッセンブリーまたはシャンクフレームに直接または間接的に設置する掛止具に係合する紐あるいは掛止穴を形成した点に存するものである。
【発明の効果】
【００１６】  本発明によれば、グランドピアノの構造上空気がよどみやすく、そのため湿気による影響を受けやすいアクションアッセンブリーの収納される空間に、直接吸湿体を設置することにより、当該空間における空気中の過度な水分（湿気）を吸湿することで、フェルトやクロスなどが吸湿による膨張によって生起する鍵盤やハンマーの動きが悪くなるキースティック現象、およびハンマースティック現象を防止し、ピアノの音質やタッチを良好な状態で維持できる。【００１７】  また、何等の処置を施すことなく放置状態にある既存のグランドピアノに対しても、簡単に付設することが可能となり、フェルトやクロスなどが吸湿による膨張によるアクション不良についても改善を図ることができる。
【実施例】
【００１８】  以下、図示の実施例に基づいて本発明について詳述する。
図はグランドピアノ（以下、単にピアノという。）におけるアクションアッセンブリーの配置、あるいは、概略構成を示すもので、アクションアッセンブリー１は、ピアノの鍵盤蓋２、棚板３、ピン板４等々に囲まれた空間に収容され、鍵盤６の打鍵作用を鍵盤６からハンマー７に伝達するための種々の伝達構成部品がシャンクフレーム８に搭載されている。なお、この伝達機構については、本発明と直接関係するものでないことから詳細な説明を省略する。【００１９】  前述するアクションアッセンブリー１におけるシャンクフレーム８、または、フレーム８の頭頂部分に固定されているシャンクレール９に後述する吸湿体を装架するための掛止具１０を設置している。即ち、図２に示すように、シャンクフレーム８の適宜の箇所にねじ孔１１を穿設し、該ねじ孔１１に螺合するボルト１２により、図３ａ、ｂに示す形状の掛止具１０ａ、１０ｂを止着し、あるいは、シャンクレール９の適宜位置に穿設されたねじ孔１１ｂに対してボルト１２によって掛止具１０ａを止着する。【００２０】  掛止具１０ａは図３ａに示すように、板状態の一端後述する吸湿体２０を掛止するフック部１３を形成してなり、他端側にボルト１２のねじ部に嵌りこむＵ字型の開口１４を形成している。また、掛止具１０ｂは図３ｂに示すように、掛止具１０ａと同様に吸湿体２０を掛止するフック部１３を形成してなり、他端側にボルト１２のねじ部に嵌りこむＵ字型の開口１４を形成するとともに、その中間部分において屈曲部１０ｃを設けることによって、掛止具１０ｂの設置位置にいて、言い換えれば、掛止具１０ｂに掛止する吸湿体２０とピアノの構成部材との緩衝を回避することにある。したがって、その屈曲方向は適宜に採用されることになる。【００２１】  また、この吸湿体２０を掛止する掛止具としては、図３に示される構成のみならず、例えば、図４に示される構成を採用することもできる。即ち、掛止具１５は、板状の基板を一方に開口１６を有する略コ字状に形成し、一方の脚部１５ａを湾曲せしめてフック１７を形成するとともに、他方の脚部１５ｂを折り曲げて摘み１５ｃを形成し、脚部１５ａ、１５ｂの開口寸法を連結部１５ｄの寸法よりも若干小さく整形したものである。さらに、図４の（ｂ）に示される掛止具１５は、板状の基板１５を一方に開口１６を有する略コ字状に形成し、一方の脚部１５ａを湾曲せしめてフック１７形成するとともに、脚部１５ａ、１５ｂの開口寸法を連結部１５ｄの寸法よりも若干小さく成形したもので、これによって、基板１５の保有する弾性力によってシャンクレール９を抱持するようにしたものである。なお、前述の実施例においては、掛止具１５を板状の基板により製作した例を示すが、これを棒材を用いて、湾曲加工することによって製作することも可能である。【００２２】  この掛止具１５は、シャンクレール９に多数のハンマーシャンクが設置されているが、ハンマーシャンクの設置されていない隙間を利用して取り付ける。シャンクレール９上のハンマーシャンクの隙間に掛止具１５の開口１６を利用して差し込み、基板１５の保有する弾性力によってシャンクレール９を抱持させ、しかる後に、このフック１７に吸湿体２０を掛止する。【００２３】  本発明に��いて使用される吸湿体２０は、使用する吸湿剤としては粒状、粉状、板状種々の形態の材料が使用可能なもので、吸湿材料としては、例えば、シリカゲルやゼオライトなどが好適であるが、吸湿剤を担持する通気性材料で構成することも可能である。吸湿体２０の吸湿効果を考慮するとアクションアッセンブリーが収容されている空間の全域にわたって配置することが望まれる。【００２４】  吸湿体２０は、図５、６に示すように、粒状、粉状の吸湿剤を帯状の通気性材料に内包または担持させたものを、前記吸湿剤が適宜の大きさ（量）となるように分包された帯状の構造とするのが望ましく、通気性の材料、例えば、紙および不織布を折り曲げ、さらに、適宜の間隔で中間部分２０ａを接着して袋状２１とし、この袋状２１に吸湿剤２２を充填した後、袋状２１の開口を接着して密封状態とし吸湿体２０を構成してなり、さらに、この吸湿体２０の上部の接着部分２０ｂに前述する掛止具１０あるいは１５に掛止するために、掛止用の孔２３が設けられている。【００２５】  また、図７に他の実施形態における吸湿体３０を示す。前述の実施例と同様に、通気性の材料、例えば、紙および不織布を折り曲げ、両側を接着するとともに、さらに、適宜の間隔で中間部分３０ａを接着して袋状３１とし、この袋状３１に吸湿剤２２を充填した後、袋状３１の開口を接着して密封状態とし、さらにこの接着した開口を折り曲げて挿通路３４を形成するように端部を接着し、この挿通路３４に掛止具１０あるいは１５に掛止するための紐３５が通されている。前述する挿通路３４を形成するに際して、適宜に接着していない部分を作り、その部分から紐３５を取り出せるようにし、掛止具１０あるいは１５への掛止を容易にするのが望ましい。【００２６】  吸湿体２０に使用される吸湿剤２２としては、乾燥して再吸湿可能な再吸湿材料で形成されていることが好ましい。この様に再吸湿可能な材料を用いれば、低コストで長期に渡り吸湿を行うことができる。吸湿剤としては、代表的なものとしてシリカゲルが挙げられる。前記吸湿剤２２は、吸湿量によって変色する変色材料からなるものが好ましい。この変色材料を用いれば、吸湿手段の吸湿能力を目視できるので、吸湿体２０の交換時期を確実に把握できる。尚、変色手段としては、吸湿剤であるシリカゲルに吸着させる塩化コバルト等を用いるとよい。【００２７】  次に、吸湿体２０において、吸湿体２０に吸湿機能に加えて、種々の機能を付加することも好ましい。例えば、ピアノが衛生害虫の侵入、巣になることを防止するために一部に防虫剤あるいは忌避剤を充填することも、また、湿気によるカビの発生を抑止する防カビ剤を、さらに、湿気の臭気を緩和するために芳香剤あるいは消臭剤を充填するなど、一種あるいは２種以上の機能を付加することも好ましい。
【図面の簡単な説明】
【００２８】
【図１】グランドピアノの弾奏部の概略を示す説明図。
【図２】本発明にかかる実施形態を示す説明図。
【図３】本発明で使用する掛止具の一例を示す説明図。
【図４】本発明で使用する他の掛止具の一例を示す説明図。
【図５】本発明で使用する吸湿体の一例を示す説明図。
【図６】図５におけるＡ−Ａ線断面図。
【図７】本発明で使用する他の吸湿体の一例を示す説明図。
【符号の説明】
【００２９】  １：アクションアッセンブリー
２：蓋
６：鍵盤
７：ハンマー
８：シャンクフレーム
９：シャンクレール
１０、１５：掛止具
１７：フック
２０：吸湿体
２２：吸湿剤
【図１】
2009031704.tif 000003
【図２】
2009031704.tif 000004
【図３】
2009031704.tif 000005
【図４】
2009031704.tif 000006
【図５】
2009031704.tif 000007
【図６】
2009031704.tif 000008
【図７】
2009031704.tif 000009